(57)【要約】【課題】  機器を誤稼働させることなく非稼働機能の設定を行うことができる機器を提供すること。【解決手段】  ファンヒータ本体と、ファンヒータ本体の各種設定を行うための入力操作手段と、ファンヒータ本体の稼働以外に関する特定機能、例えば点灯表示装置の表示モードを設定するための表示モード設定手段と、を備えたガスファンヒータ。入力操作手段は、ファンヒータ本体の稼働運転に関する稼働機能を入力操作するための稼働設定操作手段と、ファンヒータ本体の稼働運転以外に関する非稼働機能を入力操作するための非稼働設定操作手段とを含んでおり、表示モード設定手段は、ファンヒータ本体の稼働停止状態において非稼働設定操作手段を操作したときに表示モード設定手段の設定を許容する。【選択図】  図５
2007192438.tif 000002
【特許請求の範囲】
【請求項１】
機器本体と、機器本体の各種設定を行うための入力操作手段と、機器本体の稼働以外に関する特定機能を設定するための特定機能設定手段と、を備えた機器であって、
前記入力操作手段は、前記機器本体の稼働運転に関する稼働機能を入力操作するための稼働設定操作手段と、前記機器本体の稼働運転以外に関する非稼働機能を入力操作するための非稼働設定操作手段とを含んでおり、
前記特定機能設定手段は、前記機器本体の稼働停止状態において前記非稼働設定操作手段を操作したときに前記特定機能の設定を許容することを特徴とする機器。
【請求項２】
前記稼働設定操作手段は複数の稼働設定スイッチを含み、また前記非稼働設定操作手段は複数の非稼働設定スイッチを含んでおり、前記稼働設定スイッチの一つと前記非稼働設定スイッチの一つを同時に入力操作したとき、又は前記非稼働設定スイッチの二つを同時に入力操作したときに、前記特定機能設定手段は前記特定機能の設定を許容することを特徴とする請求項１に記載の機器。
【請求項３】
前記非稼働設定操作手段は複数の非稼働設定スイッチを含み、前記非稼働設定スイッチの一つを所定時間継続して押圧操作したときに、前記特定機能設定手段は前記特定機能の設定を許容することを特徴とする請求項１に記載の機器。
【請求項４】
機器本体と、前記機器本体の前面に設けられた表示装置と、前記表示装置の表示モードを設定するための表示モード設定手段と、を備え、
前記表示モード設定手段は、前記機器本体の稼働状態を表示するための第１表示モードと、前記機器本体の稼働状態と関連しないインテリアとして表示するための第２表示モードとに設定可能であることを特徴とする機器。
【請求項５】
前記機器本体には、前記機器本体の稼働運転に関する稼働機能を入力操作するための稼働設定操作手段と、前記機器本体の稼働運転以外に関する非稼働機能を入力操作するための非稼働設定操作手段とが設けられており、前記機器本体の稼働停止状態において前記非稼働設定操作手段を操作すると、前記表示モード設定手段による前記第１及び第２表示モードの設定が許容されることを特徴とする請求項４に記載の機器。
【請求項６】
機器がガスファンヒータ又は石油ファンヒータであることを特徴とする請求項１〜５のいずれかに記載の機器。
【発明の詳細な説明】
【技術分野】
【０００１】
本発明は、ガスファンヒータ、石油ファンヒータなどの機器に関する。
【背景技術】
【０００２】
近年、機器の一例としての石油ファンヒータにおいては、操作性を向上させるとともに、その製作コストの低減を図るために、機器の各種機能を専用操作スイッチを設けることに代えて、複数の操作スイッチを同時に押圧操作したときに特定機能、例えばチャイルドロック機能の設定、設定解除が行われるようにしたものが提案されている（例えば、特許文献１参照）。この種の石油ファンヒータにおいては、例えば、表示切り替えスイッチと延長スイッチとを同時に押圧操作するとチャイルドロック機能が設定され、またチャイルドロック状態において表示切り替えスイッチと延長スイッチとを再度同時に押圧操作すると設定したチャイルドロック機能が解除される。
【０００３】
【特許文献１】特開平２−２３００１８号公報
【発明の開示】
【発明が解決しようとする課題】
【０００４】
この種の石油ファンヒータでは、チャイルドロック機能などの非稼働機能（石油ファンヒータの稼働運転以外に関する機能）の設定は、石油ファンヒータの稼働運転時に行うように構成されている。それ故に、チャイルドロック機能を設定する際に押圧操作するボタンを誤操作すると、誤操作した機能が設定されて稼働運転されるようになり、機器の安全運転上好ましくないという問題がある。
【０００５】
また、ガスファンヒータ、石油ファンヒータなどの機器においては、運転状態、例えば燃焼状態が一目で把握し難く、機器本体の操作パネルまで行って設定内容を目視確認を行っている。このようなことから、使用便宜上、室内の離れた位置からその運転状態を容易に把握できるようにすることが望まれている。また、この種の機器においては、室内にマッチしたインテリア性も強く求められている。
【０００６】
本発明の目的は、誤稼働することなく非稼働機能の設定を行うことができる機器を提供することである。
また、本発明の他の目的は、機器の運転状態を容易に把握することができるとともに、インテリア性も高めることができる機器を提供することである。
【課題を解決するための手段】
【０００７】
本発明の請求項１に記載の機器は、機器本体と、機器本体の各種設定を行うための入力操作手段と、機器本体の稼働以外に関する特定機能を設定するための特定機能設定手段と、を備えた機器であって、
前記入力操作手段は、前記機器本体の稼働運転に関する稼働機能を入力操作するための稼働設定操作手段と、前記機器本体の稼働運転以外に関する非稼働機能を入力操作するための非稼働設定操作手段とを含んでおり、
前記特定機能設定手段は、前記機器本体の稼働停止状態において前記非稼働設定操作手段を操作したときに前記特定機能の設定を許容することを特徴とする。
【０００８】
また、本発明の請求項２に記載の機器では、前記稼働設定操作手段は複数の稼働設定スイッチを含み、また前記非稼働設定操作手段は複数の非稼働設定スイッチを含んでおり、前記稼働設定スイッチの一つと前記非稼働設定スイッチの一つを同時に入力操作したとき、又は前記非稼働設定スイッチの二つを同時に入力操作したときに、前記特定機能設定手段は前記特定機能の設定を許容することを特徴とする。
【０００９】
また、本発明の請求項３に記載の機器では、前記非稼働設定操作手段は複数の非稼働設定スイッチを含み、前記非稼働設定スイッチの一つを所定時間継続して押圧操作したときに、前記特定機能設定手段は前記特定機能の設定を許容することを特徴とする。
【００１０】
また、本発明の請求項４に記載の機器は、機器本体と、前記機器本体の前面に設けられた表示装置と、前記表示装置の表示モードを設定するための表示モード設定手段と、を備え、
前記表示モード設定手段は、前記機器本体の稼働状態を表示するための第１表示モードと、前記機器本体の稼働状態と関連しないインテリアとして表示するための第２表示モードとに設定可能であることを特徴とする。
【００１１】
また、本発明の請求項５に記載の機器では、前記機器本体には、前記機器本体の稼働運転に関する稼働機能を入力操作するための稼働設定操作手段と、前記機器本体の稼働運転以外に関する非稼働機能を入力操作するための非稼働設定操作手段とが設けられており、前記機器本体の稼働停止状態において前記非稼働設定操作手段を操作すると、前記表示モード設定手段による前記第１及び第２表示モードの設定が許容されることを特徴とする。
【００１２】
更に、本発明の請求項４に記載の機器では、機器がガスファンヒータ又は石油ファンヒータであることを特徴とする。
【発明の効果】
【００１３】
本発明の請求項１に記載の機器によれば、入力操作手段は稼働設定操作手段と非稼働設定操作手段を含み、特定機能設定手段は機器本体が稼働停止状態において非稼働設定操作手段を操作したときに特定機能の設定を許容するので、特定機能設定手段を誤操作しても機器本体が稼働することがなく、操作上の安全性を確保しながら特定機能の設定を行うことができる。尚、特定機能とはチャイルドロック機能、表示装置の表示モードを選択して設定する表示モード設定機能などである。また、非稼働機能を入力操作するための非稼働運転非稼働設定操作手段としては、機器が例えばガスファンヒータ、石油ファンヒータである場合に、能力切換スイッチ、セーブ運転スイッチ、おさえめスイッチ、時刻スイッチ、アップスイッチ、ダウンスイッチなどである。
【００１４】
また、本発明の請求項２に記載の機器によれば、稼働設定操作手段は複数の稼働設定スイッチを含み、非稼働設定操作手段は複数の非稼働設定スイッチを含み、機器本体の稼働停止状態において非稼働設定スイッチの二つを同時に入力操作したときに特定機能の設定が許容されるので、非稼働設定スイッチを誤操作しても機器本体が稼働することがなく、操作上の安全性を確保しながら特手機能の設定を行うことができる。尚、稼働設定スイッチの一つと非稼働設定スイッチの一つを同時に入力操作したときに特定機能の設定が許容されるように構成しても同様の効果が達成することができるが、安全性の面では二つの非稼働設定スイッチを同時に入力操作するようにする方がより安全性を高めることができる。
【００１５】
また、本発明の請求項３に記載の機器によれば、非稼働設定スイッチの一つを所定時間（例えば２〜３秒程に設定される）継続して押圧操作したときに特定機能の設定が許容されるので、非稼働設定スイッチを誤操作しても機器本体が稼働することがなく、操作上の安全性を確保しながら特定機能の背邸を行うことができる。
【００１６】
また、本発明の請求項４に記載の機器によれば、機器本体の前面に表示装置が設けられているので、離れた位置からもこの表示装置を容易に見ることができる。また、第１表示モードにおいては、表示装置は機器本体の稼働状態（例えば、ガスファンヒータ、石油ファンヒータである場合に、燃焼バーナの燃焼状態）を表示するので、機器本体の稼働状態を容易に把握することができる。また、第２表示モードにおいては、表示装置は稼働状態と関係なくインテリア性を表示するので、室内に設置したときのインテリア性を高めることができる。尚、表示装置としては、例えば複数のＬＥＤ（発光ダイオード）を組み合わせたもの、液晶表示装置などを用いることができる。
【００１７】
また、本発明の請求項５に記載の機器によれば、機器本体の稼働停止状態において非稼働設定操作手段を操作したときに表示モード設定手段による表示モードの設定が許容されるので、この設定の際に非稼働設定操作手段を誤操作しても機器本体が稼働することがなく、安全性を確保しながら表示モードの設定を行うことができる。
【００１８】
更に、本発明の請求項６に記載の機器によれば、ガスファンヒータ、石油ファンヒータに好都合に適用することができる。
【発明を実施するための最良の形態】
【００１９】
以下、添付図面をして、本発明に従う機器の実施形態について説明する。図１は、本発明に従う装置の一例としてのガスファンヒータを示す斜視図であり、図２は、図１のガスファンヒータの操作パネルを示す正面図であり、図３は、図１のガスファンヒータの制御系を簡略的に示すブロック図であり、図４は、図１のガスファンヒータに装備された表示装置の表示内容を説明するための説明図であり、図５は、図１のガスファンヒータの点灯モードを設定するときの操作の流れを示すフローチャートであり、図６は、図１のガスファンヒータにおいて換気モードを設定したときの表示装置の表示の流れを示すフローチャートであり、図７は、換気モードを設定したときの表示装置の表示内容を説明するための説明図である。尚、以下の実施形態においては、本発明を機器の一例としてのガスファンヒータに適用して説明するが、石油ファンヒータなどの燃焼暖房機器にも同様に適用することができ、更にはその他の一般の機器にも同様に適用することができる。
【００２０】
図１〜図３において、機器の一例としての図示のガスファンヒータ２は、機器本体としてのファンヒータ本体４を備え、このガスヒータ本体４の前面下部に吹出し口６が設けられている。このファンヒータ本体４内には、図３から理解されるように、燃料用ガス（例えば、都市ガス、ＬＰガス）を燃焼させるための燃焼バーナ８、燃焼バーナ８への燃料ガスの供給、供給停止を行うための電磁開閉弁１０、燃焼バーナ８に送給される燃料ガスの流量を制御するための流量制御弁１２、燃焼バーナ８による燃焼を点火するための点火装置１４、及び燃焼バーナ８の燃焼によって生成された暖かい空気を送風するための送風ファン１６が設けられており、生成された暖かい空気が送風ファン１６の作用によって吹出し口６から手前側に室内に吹き出す。
【００２１】
このファンヒータ本体４の上面には、各種設定を入力操作するための操作パネル１８が設けられている。この実施形態では、操作パネル１８には、能力切換スイッチ２０、おさえめスイッチ２２、おやすみスイッチ２４、おはようスイッチ２６、セーブ運転スイッチ２８、時刻スイッチ３０、運転／停止スイッチ３２及び温度設定スイッチ３４が設けられており、これら各種スイッチ２０〜３８が入力操作手段を構成する。
【００２２】
能力切換スイッチ２０は、ファンヒータ本体４を設置する室内が大きい（例えば、１０〜１４畳程度）か小さい（例えば、８〜１０畳程度）かを設定するためのものであり、一度押圧操作すると「大きい」（換言すると、能力が大きい）と設定し、再度押圧操作すると「小さい」（換言すると、能力が小さい）と設定する。おさえめスイッチ２２は、温度設定スイッチ３４によって設定された温度を幾分低い温度（例えば、３℃程度低い温度）に設定変更するためのスイッチであり、一度押圧操作するとおさえめ機能が設定され、再度押圧するとおさえめ機能が解除される。おやすみスイッチ２４はタイマ設定によって暖房運転を終了させるためのものであり、一度押圧するとおやすみ機能の運転時間１時間が設定され、再度押圧すると運転時間２時間が設定され、更に押圧すると運転時間３時間が設定され、更に押圧操作するとおやすみ機能が解除される。おはようスイッチ２６は、タイマ設定によって暖房運転を開始させるためのものであり、一度押圧するとおやすみ機能が設定され、再度押圧するとおやすみ機能が解除される。セーブ運転スイッチ２８は、燃焼バーナ８の燃焼を抑えるためのものであり、一度押圧するとセーブ運転機能が設定され、再度押圧操作するとセーブ運転機能が解除される。
【００２３】
また、時刻スイッチ３０は、温度設定スイッチ３４の設定用途を選択するためのものであり、一度押圧すると時刻設定機能となり、再度押圧すると温度設定機能に戻る。運転／停止スイッチ３２は、ガスファンヒータ２を運転／運転停止させるためのものであり、一度押圧すると稼働状態となってガスファンヒータ２による暖房運転が行われ、再度押圧すると稼働停止状態となってガスファンヒータ２の暖房運転が終了する。この実施形態では、稼働停止状態においてもコントローラ４０などに電流が供給され、後述する如く能力切換スイッチ２０及びおさえめスイッチ２２を押圧すると、これらスイッチ２０，２２からの入力信号がコントローラ４０に送給されるように構成されている。
【００２４】
更に、温度設定スイッチ３４はアップスイッチ３６及びダウンスイッチ３８から構成され、アップスイッチ３６は設置内容を上昇させるためのものであり、またダウンスイッチ３８は設定内容を下降させるものである。時刻設定機能として機能する場合、アップスイッチ３６を押圧する毎に設定時刻が１時間前に進み、ダウンスイッチ３８を押圧する毎に設定時刻が一時間後ろに進み、また温度設定機構として機能する場合、アップスイッチ３６を押圧する毎に設定温度が１℃上昇し、ダウンスイッチ３８を押圧する毎に設定温度が１℃下降する。
【００２５】
操作パネル１８の各種スイッチは、ガスファンヒータ２の稼働運転に関する稼働機能を入力操作するための稼働設定スイッチと稼働運転以外の非稼働運転に関する非稼働機能を入力するための非稼働設定スイッチとに区別され、この実施形態では、稼働設定操作手段としての稼働設定スイッチは、おやすみスイッチ２４、おはようスイッチ２６及び運転／停止スイッチ３２であり、また非稼働設定操作手段としての非稼働設定スイッチは、能力切換スイッチ２０、おさえめスイッチ２２、セーブ運転スイッチ２８、時刻スイッチ３０及び温度設定スイッチ３４（アップスイッチ３６及びダウンスイッチ３８）であり、後述するように特定機能としての表示モード設定機能は、非稼働設定操作手段を入力操作して設定を切り換えるように構成されている。
【００２６】
この実施形態では、更に、操作パネル１８には、入力操作内容を確認するための表示装置４１としての表示ランプ４２及び液晶表示装置４４が設けられている。表示ランプ４２は多数のＬＥＤ（発光ダイオード）４８〜５８から構成され、ＬＥＤ４８は能力切換スイッチ２０に対応して設けられ、能力切換機能を「大きい」に設定したときに点灯し、ＬＥＤ５０はおさえめスイッチ２２に対応して設けられ、おさえめ機能を設定したときに点灯し、ＬＥＤ５２はおやすみスイッチ２４に対応して設けられ、おやすみ機能を設定したときに点灯し、ＬＥＤ５４はおはようスイッチ２６に対応して設けられ、おはよう機能を設定したときに点灯する。また、ＬＥＤ５６は時刻スイッチに対応して設けられ、温度設定スイッチ３４が時刻設定機能の状態にあるときに点灯し、更にＬＥＤ５８はセーブ運転スイッチ５８に対応して設けられ、セーブ運転機能を設定したときに点灯する。
【００２７】
また液晶表示装置４４は表示装置５０及び第２表示装置５２から構成され、温度設定スイッチ３４が温度設定機能として機能するときには、第１表示装置５２が設定温度を表示し、第２表示装置が現在室温を表示し、また温度設定スイッチ３４が時刻設定機能として機能するときには、第１表示装置５２が設定時刻の時を表示し、第２表示装置５４が設定時刻の分を表示する。
【００２８】
このガスファンヒータ２には、更に、前面状部に点灯表示装置６４が設けられている。この点灯表示装置６４は複数（この実施形態では１０個）のＬＥＤ６６から構成され、複数のＬＥＤ６６が実質上等間隔で直線状に配設されている。この点灯表示装置６４は、ガスファンヒータ２の稼働状態を示す第１表示モードと、この稼働状態と関係しないインテリアとして表示する第２表示モードとに選択できるように構成され、この実施形態では、第１表示モードとして燃焼表示モード及びおやすみタイマ表示モードに設定可能に構成され、第２表示モードとして第１インテリア表示モード、第２インテリア表示モード及び第３インテリア表示モードに設定可能に構成されている（図４参照）。
【００２９】
このガスファンヒータ２は、図３に示す制御系によって作動制御される。操作パネル１８の各種スイッチ２０〜３８からの入力信号は、例えばマイクロプロセッサから構成されるコントローラ４０に送給され、コントローラ４０はこれら入力信号に基づいて燃焼バーナ８、電磁開閉弁１０、流量制御弁１２、表示装置４１及び点火表示装置６４を所要の通りに作動制御する。このコントローラ４０は、燃焼バーナ８などを作動制御するための作動制御手段６８及び特定機能としての表示モードを設定するための表示モード設定手段７０（特定機能設定手段を構成する）を備え、表示モード設定手段７０は、表示モードの切換許容の判定を行うモード切換判定手段７２と点灯表示装置６４の点灯モードを設定する点灯モード設定手段７２を含んでいる。
【００３０】
このコントローラ４０は、更に、メモリ手段７６及び計時手段７８を含んでいる。メモリ手段７６には点灯表示装置６４の各種表示モードにおけるＬＥＤ６６の点灯パターンに関する点灯データ８０が予め記憶されているとともに、おやすみスイッチ２４によって設定された運転終了までのタイマ時間及びおはようスイッチ２６によって設定された運転開始までのタイマ時間などの設定時間データ８２が記憶され、計時手段７８はタイマ設定された時間などを計時する。
【００３１】
このガスファンヒータ２においては、点灯表示装置６４の表示モードの設定は、例えば次のようにして行われる。図２、図３及び図５を参照して、表示モードの設定は、ガスファンヒータ２が稼動停止状態になっているときに行われるように構成されており、従って、ガスファンヒータ２を暖房運転して稼動しているときには、運転／停止スイッチ３２を操作して稼動停止状態にする。
【００３２】
表示モードの設定を行うときには、ガスファンヒータ２の稼動停止状態においてセーブ運転スイッチ２８及び時刻スイッチ３０を同時に押圧操作する。かく押圧操作すると、ステップＳ１からステップＳ２を経てステップＳ３に進み、セーブ運転スイッチ２８及び時刻スイッチ３０からの入力信号がコントローラ４０に送給され、コントローラ４０の表示モード設定手段７０のモード切換判定手段７２はこれら入力信号に基づいてモード切換状態と判定し、表示モード設定機能を機能させ、これによって、点灯表示装置６４の表示モードの設定が可能となる。
【００３３】
表示モードの切換えは、例えば、温度設定スイッチ３４のアップスイッチ３６及びダウンスイッチ３８を入力操作して所望の表示モードを選択する（ステップＳ４）。アップスイッチ３６を押圧する毎に表示モードが一つずつ前に進み、ダウンスイッチ３８を押圧する毎に表示モードが一つずつ後に進む。この実施形態では、図４に示すように、表示「１」として燃焼表示モード、表示「２」としておやすみタイマ表示モード、表示「３」として第１インテリア表示モード、表示「４」として第２インテリア表示モード、また表示「５」として第３インテリア表示モードが登録されており、アップスイッチ３６を押圧する毎に表示「１」、「２」、「３」・・・と進み、ダウンスイッチ３８を押圧する毎に表示「１」、「５」、「４」・・・と進む。
【００３４】
このようにして所望の表示モード（例えば、燃焼表示モード）を選択すると、再度セーブ運転スイッチ２８及び時刻スイッチ３０を同時に押圧操作する（ステップＳ５）。かくすると、セーブ運転スイッチ２８及び時刻スイッチ３０からの入力信号に基づいて表示モード設定手段７０の点灯モード設定手段７４が選択された表示モード（例えば、燃焼表示モード）を確定し、確定した表示モードがコントローラ４０のメモリ手段７６に登録され、このようにして選択された表示モードの設定が行われる（ステップＳ６）。
【００３５】
このように所望の表示モード（例えば、燃焼表示モード）を登録した状態において、運転／停止スイッチ３２を押圧操作してガスファンヒータ２を稼動運転すると、点灯表示装置６４の複数のＬＥＤ６６は燃焼バーナ８の燃焼状態を点灯表示するようになる。即ち、図４（ａ）に示すように、燃焼表示モードにおいては、点灯表示装置６４は燃焼バーナ８の燃焼強さを点灯表示し、燃焼バーナ８の燃焼強度が強いときにはＬＥＤ６６の点灯数が多く、その燃焼強度が小さいときにはＬＥＤ６６の点灯数が少なくなり、図４（ａ）の左端のＬＥＤ６６を基準に燃焼強度に応じてＬＥＤ６６の点灯数が変化する。尚、図４（ａ）〜（ｅ）において、黒色に塗ったＬＥＤ６６は、点灯したＬＥＤ６６を示している。
【００３６】
例えば、おやすみタイマ表示モードを設定したときには、点灯表示装置６４はガスファンヒータ２の暖房運転の残り稼動時間を表示するようになる。即ち、図４（ｂ）に示すように、おやすみ運転において残り運転時間が長いときにはＬＥＤ６６の点灯数が多く、残り運転時間が短いときにはＬＥＤ６６の点灯数が少なく、ＬＥＤ６６の点灯一つが例えば１０〜３０分の適当な時間、例えば１５分程度に設定することができる。
【００３７】
また、第１インテリア表示モードを設定したときには、点灯表示装置６４はガスファンヒータ２の運転状態と関係しないインテリア性を高めた点灯表示となる。即ち、図４（ｃ）に示すように、第１インテリア表示モードにおいては、複数のＬＥＤ６６は点灯表示装置６４の左から右に順次二つずつ点灯して移動し、このような点灯移動によって室内のインテリア性を高める。
【００３８】
更に、第２インテリア表示モードを設定したときにもインテリア性を高めた点灯表示となり、図４（ｄ）に示すように、複数のＬＥＤ６６は点灯表示装置６４の両端から中央に向けて順次二つずつ点灯して移動し、このような点灯移動によって第１インテリア表示モードと異なる点灯表示にってインテリア性を高める。
【００３９】
更にまた、第３インテリア表示モードを設定したときにもインテリア性を高めた点灯表示となり、図４（ｅ）に示すように、複数のＬＥＤ６６は点灯表示装置６４の中央から両端に向けて順次二つずつ点灯して移動し、このような点灯移動によって第１及び第２インテリア表示モードと異なる点灯表示にってインテリア性を高める。
【００４０】
尚、第１〜第３インテリア表示モードにおいては、２つのＬＥＤ６６を一つの組として点灯移動させているが、これらのインテリア表示モードにおけるＬＥＤ６６の点灯数は任意に設定することができ、例えば一つ又は三つ以上のＬＥＤ６６を点灯移動させるようにしてもよい。
【００４１】
この実施形態形態では、第１表示モード（ファンヒータ２の稼動状態を示すモード）として燃焼表示モード及びおやすみタイマ表示モードを設定しているが、これらのいずれかのみを採用してもよく、或いは他のモード、例えばセーブ表示モード（例えば、セーブ表示モードにおいては、例えば複数のＬＥＤ６６の点灯の照度を弱くして全体として暗くする）、換気表示モード（後述する）などを採用するようにしてもよい。また、第２表示モード（ファンヒータ２の稼動状態と関係しないインテリア性を持たせて表示するモード）として第１〜第３インテリア表示モードを設定しているが、これらの任意の一つ又は二つを作用してもよく、或いは他の異なる点灯表示を行うインテリア表示モードを追加採用するようにしてもよい。また、第２表示モードの一つとして、全ＬＥＤ６６を消灯する消灯モードを設けるようにしてもよい。
【００４２】
点灯表示装置６４の表示モードとして換気表示モード（所定時間、例えば８時間継続してガスファンヒータ２を暖房運転したときに、室内の換気の必要性を知らせる機能）を追加設定するようにしてもよい。この場合、コントローラ４０に換気タイマが設けられ、またメモリ手段７６に第１〜第４段階の注意モードの点灯データが記憶される。このときの点灯表示装置６４の表示内容として例えば図６及び図７に示すように行うことができる。
【００４３】
図６及び図７において、表示モードとして換気表示モードを設定したときには、運転／停止スイッチ３２を押圧操作してガスファンヒータ２を稼動運転すると、ステップＳ１１からステップ１２に進み、換気タイマが作動する。このようにして暖房運転を開始して２時間が経過すると、ステップＳ１３からステップＳ１４に進み、第１段階の注意モードが自動的に設定される。
【００４４】
この換気表示モードにおいては、例えば、稼動開始から２時間が経過するまでは、図７（ａ）に示すように点灯表示装置６４の複数のＬＥＤ６６は、第１期間においては全ＬＥＤ６６（１０個のＬＥＤ６６）が点灯し、第２期間においては全ＬＥＤ６６が消灯し、第１期間の全ＬＥＤ６６の点灯と第２期間の全ＬＥＤ６６の消灯が交互に繰り返され、第２期間における全ＬＥＤ６６の消灯でもって運転開始からあまり時間が経過していないことを表示するが、第１段階の注意モードになると、図７（ｂ）に示すように、第１期間においては全ＬＥＤ６６が点灯するが、第２期間においては例えば左の三つのＬＥＤ６６が点灯し、第１期間の全ＬＥＤ６６の点灯と第２期間の三つのＬＥＤ６６の点灯が交互に繰り返され、第２期間における三つのＬＥＤ６６の点灯でもって運転開始から２時間以上経過していることを表示する。
【００４５】
そして、例えば、暖房運転を開始してから４時間が経過すると、ステップＳ１５からステップＳ１６に進み、第２段階の注意モードが自動的に設定される。この第２段階の注意モードになると、図７（ｃ）に示すように、第１期間においては全ＬＥＤ６６が点灯するが、第２期間においては例えば左の五つのＬＥＤ６６が点灯し、第１期間の全ＬＥＤ６６の点灯と第２期間の五つのＬＥＤ６６の点灯が交互に繰り返され、第２期間における五つのＬＥＤ６６の点灯でもって運転開始から４時間以上経過していることを表示する。
【００４６】
更に暖房運転を行って例えば６時間が経過すると、ステップＳ１７からステップＳ１８に進み、第３段階の注意モードが自動的に設定される。この第３段階の注意モードになると、図７（ｄ）に示すように、第１期間においては全ＬＥＤ６６が点灯するが、第２期間においては例えば左の七つのＬＥＤ６６が点灯し、第１期間の全ＬＥＤ６６の点灯と第２期間の七つのＬＥＤ６６の点灯が交互に繰り返され、第２期間における七つのＬＥＤ６６の点灯でもって運転開始から６時間以上経過し、継続して暖房運転できる時間が少なくなったことを表示する。
【００４７】
更に暖房運転を継続して行って暖房運転開始から例えば８時間が経過すると、ステップＳ１９からステップＳ２０に進み、第４段階の注意モードが自動的に設定される。この第４段階の注意モードになると、図７（ｅ）に示すように、第１期間においては全ＬＥＤ６６が点灯し、また第２期間においての全ＬＥＤ６６が点灯し、第１期間の全ＬＥＤ６６の点灯と第２期間の全ＬＥＤ６６の点灯が交互に繰り返され、第１及び第２期間における全ＬＥＤ６６の点灯でもって運転開始から８時間を経過し、室内の換気が必要であることを表示する。
【００４８】
このように運転開始から８時間が経過して第４段階の注意モードとなると、コントローラ４０の作動制御手段６８はガスファンヒータ２を強制的に作動停止し（ステップＳ２１）、燃焼バーナ８による燃焼が停止するとともに、電磁開閉弁１０が閉状態になり、更に送風ファン１６の作動が停止する。その後、換気タイマがリセットされ（ステップＳ２２）、このようにしてガスファンヒータ２の８時間を超える継続暖房運転が禁止される。尚、ガスファンヒータ２の暖房運転を強制禁止することに代えて、点灯表示装置６４による点灯表示によって８時間継続暖房運転を行ったことを使用者に喚起するようにしてもよい。
【００４９】
尚、上述した実施形態では、換気表示モードにおいては、暖房運転中にわたって第１期間のＬＥＤ６６の点灯と第２期間のＬＥＤ６６の点灯を交互に行っているが、第１〜第４段階の注意モードが設定された所定時間、例えば５〜３０分の間の適宜に設定される時間において注意を換気するために第１期間のＬＥＤ６６の点灯と第２期間のＬＥＤ６６の点灯を交互に行うようにしてもよい。
【００５０】
以上、本発明に従う機器の一例としてのガスファンヒータの実施形態について説明したが、本発明はかかる実施形態に限定されるものではなく、本発明の範囲を逸脱することなく種々の変形乃至修正が可能である。
【００５１】
例えば、上述した実施形態では、非稼動設定操作手段としてのセーブ運転スイッチ２８及び時刻スイッチ３０を利用して点灯表示装置６４の表示モードの切換えを行うように構成しているが、これらのスイッチに限定されず、非稼動設定操作手段の他のスイッチ、例えば能力切換スイッチ２０及びおさえめスイッチ２２を利用するようにしてもよく、或いは温度設定スイッチ３４のアップスイッチ３６及びダウンスイッチ３８を利用するようにしてもよい。また、非稼動設定操作手段の一対のスイッチを利用することに代えて、非稼動設定操作手段の一つのスイッチ、例えばおさえめスイッチ２２と稼動設定操作手段の一つのスイッチ、例えばおやすみスイッチ２４とを利用するようにしてもく、このように構成しても上述したと略同様の作用効果が達成される。
【００５２】
また、例えば、上述した実施形態では、非稼動設定操作手段の二つのスイッチを同時に押圧することにより点灯表示装置６４の表示モードの切換えを行っているが、このような構成に代えて、非稼動設定操作手段の一つのスイッチを所定時間（例えば、２〜３秒程度に設定される）継続して押圧することにより表示モードの切換えを行うように構成してもよく、このように構成しても上述したと同様の効果が達成される。
【００５３】
また、例えば、上述した実施形態では、特定設定機能としての点灯表示装置６４の表示モード機能に適用しているが、これに限定されず、特定機能としてのチャイルドロック機能などの設定にも同様に適用することができる。
【００５４】
また、上述した実施形態では、点灯表示装置６４として複数のＬＥＤ６６から構成してるが、点灯表示装置として液晶表示装置などを用いてもよく、ＬＥＤと液晶表示装置などとを組み合わせて用いるようにしてもよい。
【図面の簡単な説明】
【００５５】
【図１】本発明に従う装置の一例としてのガスファンヒータを示す斜視図。
【図２】図１のガスファンヒータの操作パネルを示す正面図。
【図３】図１のガスファンヒータの制御系を簡略的に示すブロック図。
【図４】図１のガスファンヒータに装備された表示装置の表示内容を説明するための説明図。
【図５】図１のガスファンヒータの点灯モードを設定するときの操作の流れを示すフローチャート。
【図６】図１のガスファンヒータにおいて換気モードを設定したときの表示装置の表示の流れを示すフローチャート。
【図７】換気モードを設定したときの表示装置の表示内容を説明するための説明図。
【符号の説明】
【００５６】
２  ガスファンヒータ
４  ファンヒータ本体
１８  操作パネル
２８  セーブ運転スイッチ
３０  時刻スイッチ
４０  コントローラ
６４  点灯表示装置
６６  ＬＥＤ
７０  表示モード設定手段
７２  モード切換判定手段
７４  点灯モード設定手段
【図１】
2007192438.tif 000003
【図２】
2007192438.tif 000004
【図３】
2007192438.tif 000005
【図４】
2007192438.tif 000006
【図５】
2007192438.tif 000007
【図６】
2007192438.tif 000008
【図７】
2007192438.tif 000009